(57)【特許請求の範囲】
【請求項１】
呼吸装置、ディスプレイ、メモリおよびプロセッサを含み、
前記プロセッサは、前記ディスプレイおよび前記メモリと動作通信し、前記プロセッサは、前記ディスプレイの少なくとも一部上で、第１の画面ビューを提供するように構成され、前記ディスプレイは、選択領域のメニュー、リストまたは配列の少なくとも１つにおいて構成される複数の画面ビュー明示からなるインタラクティブ提示を含み、前記選択領域の少なくとも１つは、タップアクションおよびタップアンドホールドアクションの両方を検出し、前記選択領域の各々は、第２の画面ビューまたは前記第２の画面ビューのプレビューが選択されることを可能にするために、前記画面ビューまたは前記画面ビューのプレビューと関連付けられ、前記第２の画面ビューは、前記第１の画面ビューに置き換わり、または、前記第２の画面ビューの前記プレビューは、前記第１の画面ビュー上に重なって表示され、前記プロセッサは、前記第１の画面ビューの前記第２の画面ビューとの置換と関連付けられた情報の、または、前記第２の画面ビューの前記プレビューの前記表示と関連付けられた情報の第１の変化、アクションまたは表示を引き起こすことによって、前記選択領域の前記少なくとも１つにおいて、検出されたタップアクションに応答するように構成され、かつ、前記第１の画面ビューの前記第２の画面ビューとの置換と関連付けられた情報の、または、前記第２の画面ビューの前記プレビューの前記表示と関連付けられた情報の第２の変化、アクションまたは表示を引き起こすことによって、前記選択領域の前記少なくとも１つにおいて、検出されたタップアンドホールドアクションに応答するように構成され、
各プレビューは、開かれると、前記第１の画面ビューの上部に表示され、それによって、前記第１の画面ビューは、前記プレビューに対する背景を提供し、もしタップアンドホールドアクションが実行されるならば、前記第２の画面ビューが直接表示され、もしタップアクションが実行されるならば、前記第２の画面ビューのプレビューが表示され、
または
各選択領域は、タップされると、第２の画面ビューの対応するプレビューを開き、各プレビューは、開かれると、前記第１の画面ビューの上部に表示され、それによって、前記第１の画面ビューは、前記プレビューに対する背景を提供し、もしタップアクションが実行されるならば、前記プレビューは、基礎データを含み、もしタップアンドホールドアクションが実行されるならば、前記プレビューは、追加データを含み、
または、
各プレビューは、開かれると、前記第１の画面ビューの上部に表示され、それによって、前記第１の画面ビューは、前記プレビューに対する背景を提供し、前記プレビューは、受付および調整レイアウト選択領域を含み、前記受付および調整レイアウト選択領域上のタップアンドホールドアクションは、第２の画面ビューの適用と、画面レイアウトウィンドウの続いて起こる開きとを結果とし、画面レイアウトウィンドウにおいて、前記第２の画面ビューに対する画面レイアウトウィンドウ調整が実行可能であり、前記受付および調整レイアウト選択領域上のタップアクションは、前記第２の画面ビューの前記適用に向かう、ことを特徴とする呼吸装置システム。
【請求項２】
前記第２の画面ビューは、前記プレビューから又は前記プレビューの表示中にキャンセル可能及び／又は受け付け可能であることを特徴とする請求項１に記載の呼吸装置システム。
【請求項３】
前記選択領域は、前記第２の画面ビューのマイクロプレビューであり、前記第２の画面ビューは、前記第２の画面ビューと関連付けられたマイクロプレビュー上での前記タップアクション又は前記タップアンドホールドアクションで前記第２の画面ビューを選択すると自動的に表示されることを特徴とする請求項１に記載の呼吸装置システム。
【請求項４】
呼吸装置、ディスプレイ、メモリおよびプロセッサを有する呼吸装置システムを動作させる方法であって、前記方法は、
前記プロセッサを介して、選択領域のメニュー、リストまたは配列の少なくとも１つにおいて構成される複数の画面ビュー明示からなるインタラクティブ提示を含む第１の画面ビューの前記ディスプレイにおける表示を引き起こすことと、
前記インタラクティブ提示において、前記選択領域の少なくとも１つにおいて、前記プロセッサがタップアクションおよびタップアンドホールドアクションの両方を検出することであって、前記選択領域は、異なる画面ビューまたは画面ビューのプレビューとそれぞれ関連付けられる、ことと、
第２の画面ビューが選択されると、前記第１の画面ビューを前記第２の画面ビューに置き換えるか、または、前記第１の画面ビュー上に重ねて前記第２の画面ビューのプレビューを表示し、前記第２の画面ビューの前記プレビューが選択されると、前記第１の画面ビュー上に重ねて前記プレビューを表示することと、
前記プロセッサにおいて、前記第１の画面ビューの前記第２の画面ビューとの置換と関連付けられた情報の、または、前記第２の画面ビューの前記プレビューの前記表示と関連付けられた情報の第１の変化、アクションまたは表示を引き起こすことによって、検出されたタップアクションに応答し、かつ、前記第１の画面ビューの前記第２の画面ビューとの置換と関連付けられた情報の、または、前記第２の画面ビューの前記プレビューの前記表示と関連付けられた情報の第２の変化、アクションまたは表示を引き起こすことによって、検出されたタップアンドホールドアクションに応答することとを含み、前記プロセッサの前記アクションによって、
各プレビューは、開かれると、前記第１の画面ビューの上部に表示され、それによって、前記第１の画面ビューは、前記プレビューに対する背景を提供し、もしタップアンドホールドアクションが実行されるならば、前記第２の画面ビューが直接表示され、もしタップアクションが実行されるならば、前記第２の画面ビューのプレビューが表示され、
または
各選択領域は、タップされると、第２の画面ビューの対応するプレビューを開き、各プレビューは、開かれると、前記第１の画面ビューの上部に表示され、それによって、前記第１の画面ビューは、前記プレビューに対する背景を提供し、もしタップアクションが実行されるならば、前記プレビューは、基礎データを含み、もしタップアンドホールドアクションが実行されるならば、前記プレビューは、追加データを含み、
または、
各プレビューは、開かれると、前記第１の画面ビューの上部に表示され、それによって、前記第１の画面ビューは、前記プレビューに対する背景を提供し、前記プレビューは、受付および調整レイアウト選択領域を含み、前記受付および調整レイアウト選択領域上のタップアンドホールドアクションは、第２の画面ビューの適用と、画面レイアウトウィンドウの続いて起こる開きとを結果とし、画面レイアウトウィンドウにおいて、前記第２の画面ビューに対する画面レイアウトウィンドウ調整が実行可能であり、前記受付および調整レイアウト選択領域上のタップアクションは、前記第２の画面ビューの前記適用に向かう、方法。
【請求項５】
プログラム命令を伴って符号化された非一時的コンピュータ可読データ記憶媒体であって、ディスプレイと通信しているプロセッサに前記記憶媒体がロードされると、前記プログラム命令は、前記プロセッサが、
選択領域のメニュー、リストまたは配列の少なくとも１つにおいて構成される複数の画面ビュー明示からなるインタラクティブ提示を含む第１の画面ビューの前記ディスプレイにおける表示を引き起こすことと、
前記インタラクティブ提示において、前記選択領域の少なくとも１つにおいて、タップアクションおよびタップアンドホールドアクションの両方を検出することであって、前記選択領域は、異なる画面ビューまたは画面ビューのプレビューとそれぞれ関連付けられる、ことと、
第２の画面ビューが選択されると、前記第１の画面ビューを、前記第２の画面ビューまたは前記第２の画面ビューのプレビューに置き換え、前記第２の画面ビューの前記プレビューが選択されると、前記第１の画面ビュー上に重ねて前記プレビューを表示することと、
前記第１の画面ビューの前記第２の画面ビューとの置換と関連付けられた情報の、または、前記第２の画面ビューの前記プレビューの前記表示と関連付けられた情報の第１の変化、アクションまたは表示を引き起こすことによって、検出されたタップアクションに応答し、かつ、前記第１の画面ビューの前記第２の画面ビューとの置換と関連付けられた情報の、または、前記第２の画面ビューの前記プレビューの前記表示と関連付けられた情報の第２の変化、アクションまたは表示を引き起こすことによって、検出されたタップアンドホールドアクションに応答することと
を引き起こし、
各プレビューは、開かれると、前記第１の画面ビューの上部に表示され、それによって、前記第１の画面ビューは、前記プレビューに対する背景を提供し、もしタップアンドホールドアクションが実行されるならば、前記第２の画面ビューが直接表示され、もしタップアクションが実行されるならば、前記第２の画面ビューのプレビューが表示され、
または
各選択領域は、タップされると、第２の画面ビューの対応するプレビューを開き、各プレビューは、開かれると、前記第１の画面ビューの上部に表示され、それによって、前記第１の画面ビューは、前記プレビューに対する背景を提供し、もしタップアクションが実行されるならば、前記プレビューは、基礎データを含み、もしタップアンドホールドアクションが実行されるならば、前記プレビューは、追加データを含み、
または、
各プレビューは、開かれると、前記第１の画面ビューの上部に表示され、それによって、前記第１の画面ビューは、前記プレビューに対する背景を提供し、前記プレビューは、受付および調整レイアウト選択領域を含み、前記受付および調整レイアウト選択領域上のタップアンドホールドアクションは、第２の画面ビューの適用と、画面レイアウトウィンドウの続いて起こる開きとを結果とし、画面レイアウトウィンドウにおいて、前記第２の画面ビューに対する画面レイアウトウィンドウ調整が実行可能であり、前記受付および調整レイアウト選択領域上のタップアクションは、前記第２の画面ビューの前記適用に向かう、非一時的コンピュータ可読データ記憶媒体。
【発明の詳細な説明】
【技術分野】
【０００１】
本開示は、一般に、呼吸装置の分野に関する。より具体的には、本開示は、呼吸装置システムのディスプレイ上へのビューの表示に関する。特に、本開示は呼吸装置システムのディスプレイ上に表示されるビューのプレビューに関する。
【背景技術】
【０００２】
ベンチレータ（人工呼吸器）、麻酔器及び呼吸装置のためのユーザインタフェースは、古くからグラフィカルであり且つしばしばタッチスクリーンと組み合わされている。しかしながら、これらの装置のオペレータに対するデータ及びグラフの提示は、常に静的且つ事前構成されている。新規のモード及び操作が追加されているが、データが提示及び編集されている方法は、何年にも渡り同じままである。タッチスクリーンのグラフィカルユーザインタフェース（ＧＵＩ）の例が米国特許第５６７８５３９号明細書で与えられる。この文書では、スクリーン（画面）だけでなく回転ノブ（図２の２１）がモード及びパラメータを調整するために使用されている。
【０００３】
最近では、より柔軟なＧＵＩを伴ういくつかのシステムが使用されるようになった。これらのシステムでは、オペレータはある程度データの提示を構成する可能性を付与される。そうしたシステムの一例は国際公開第２００９／０６３４０４号で与えられる。この文書は、ユーザに提示されるデータの量及びレベルはユーザが有する知識のレベルに基づくことを記載している。従って、知識の少ないユーザは基礎データだけ与えられる一方、知識の多いユーザはより高度なデータが与えられるだろう。
【０００４】
さらにその上、ベンチレータ（人工呼吸器）システムにおいてグラフィカルディスプレイのレイアウトを構成するいくつかのシステム及び方法が米国特許出願公開第２０１２／００３０６１１号から知られている。この文書から患者データパラメータのプレビューの使用が知られている。しかしながら、プレビューはレイアウトウィンドウから表示されることができるのみであり、それ故、プレビューを介して１つのビューから別のビューへ直接進むことは可能ではない。
【０００５】
従って、オペレータが迅速に且つ／又は容易に特定のアプリケーション又はモードの適切なレイアウトを見つけることができる単純明快なシステムの必要性があるかもしれない。
【０００６】
従って、より容易且つよりフレンドリーなユーザインタフェースを提供すること、及び／又は、２つのビューから別のビューへのより速いナビゲーションを提供することは、有利かもしれない。これは、特に、患者への最高の注目、及び、呼吸装置のような医療装置を操作する最小の努力、を必要とする臨床労働環境に関連する。
【発明の概要】
【０００７】
従って、本開示の実施形態は、好適には、添付の特許請求の範囲による呼吸装置システム、方法及びコンピュータ可読媒体を提供することによって、上述の単一の又は組み合わせ等の技術の１以上の欠陥、不利益又は問題を軽減、緩和、又は排除することを求めるものである。
【０００８】
本開示の側面によると、呼吸装置システム、方法及びコンピュータ可読媒体が開示されており、画面ビューの選択に応じて、選択された画面ビューのプレビューが、ディスプレイの少なくとも一部に提供される。代替的に又は追加的に、ユーザ選択可能な新規の画面ビューの、少なくとも１つのマイクロプレビュー、すなわち小型プレビューが、例えば、現画面ビューから新規画面ビューへの迅速変更のために画面ビューに提供されてもよい。プレビューは、ユーザ選択可能な新規画面ビューのライブビューを含んでもよい。ライブビューは、ユーザ選択のための新規ビューの小型バージョンであってもよく、プレビューは、呼吸装置の現在のベンチレータ（人工呼吸器）パラメータ及び動作モードで、例えば変化する（rolling）呼吸曲線及び／又は現在のメトリクス（尺度）で、表示される。プレビュー画面ビューのサイズに依存して、新規ビューの最終バージョンよりも少ない詳細度を備えてもよいが、新規画面ビューが本開示の呼吸装置システムの呼吸装置のディスプレイにどのようにして提示されるかの臨床オペレータの理解を可能にする十分な詳細度を備えてもよい。
【０００９】
本開示の１つの側面によると、呼吸装置システムが提供される。前記呼吸装置システムは、ディスプレイ、メモリ部及び処理部を有する呼吸装置を含む。前記処理部は、前記ディスプレイ及び前記メモリ部と動作通信する。さらに、前記処理部は、複数の選択可能な画面ビューを提供するように構成される。その上、前記処理部は、画面ビューの選択に応じて、前記ディスプレイの少なくとも一部上に、前記選択された画面ビューのプレビューを提供するように構成される。
【００１０】
従って、より容易且つフレンドリーなユーザインタフェース及び／又は１つのビューから別のビューへのより速いナビゲーションが達成される。
【００１１】
本開示の別の側面によると、呼吸装置システムにおける方法が提供される。当該システムは、ディスプレイ、メモリ部及び処理部を有する呼吸装置を含む。前記方法は、複数の選択可能な画面ビューを提供する工程を備える。さらに、前記方法は、画面ビューの選択に応じて、選択された画面ビューのプレビューを前記ディスプレイの少なくとも一部上に提供する工程を備える。
【００１２】
本開示の更なる側面によると、コンピュータによる処理のためのコンピュータプログラムを具体化するコンピュータ可読媒体が提供される。前記コンピュータプログラムは、複数の選択可能な画面ビューを提供するコードセグメントを備える。さらに、前記コンピュータプログラムは、画面ビューの選択に応じて、ディスプレイの少なくとも一部上に、選択された画面ビューのプレビューを提供するコードセグメントを備える。
【００１３】
本開示の更なる例が従属請求項に規定され、本開示の第２以降の側面の特徴は第１の側面を準用する。
【００１４】
本開示のいくつの例は、より簡単な、より容易な使用及びよりユーザフレンドリーなインタフェースを提供する。
【００１５】
本開示のいくつかの例は、１つのビューから別のビューへのより速いナビゲーションを提供してもよい。
【００１６】
本開示のいくつかの例は、新規ビューのセットアップ中により容易且つ／又はより良好な概観（オーバービュー）を提供する。
【００１７】
本開示のいくつかの例は、最適な情報量が表示されてもよいことを提供する。
【００１８】
本開示のいくつかの例は、よりユーザフレンドリー且つ／又はより容易な新規ビューをセットアップする方法を提供する。
【００１９】
本開示のいくつかの例は、安全性に重要な機能が容易に誤って起動されないことも提供する。従って、いくつかの実施形態はシステムの改良された安全性を提供してもよい。
【００２０】
前記ディスプレイは、ある例では、呼吸装置の統合部であってもよい。いくつかの他の例では、前記プレビューのためのディスプレイは、前記新規ビューが提示されるであろう前記呼吸装置のそれとは遠隔に構成されてもよい。前記プレビューのために遠隔に構成されたディスプレイは一例ではハンドヘルド装置に提供されてもよい。
【００２１】
この明細書で使用される場合の“備える／備えている”という用語は、述べられた特徴、整数、工程又は構成要素の存在を特定するために使われるものの、１以上の他の特徴、整数、工程、構成要素又はそれらの組み合わせの存在又は追加を排除しないことが強調されるべきである。
【図面の簡単な説明】
【００２２】
【図１】図１は、呼吸装置システムの一例の概略図である。
【図２ａ】図２ａは、メインウィンドウの一例の概略図である。
【図２ｂ】図２ｂは、ビューウィンドウの一例の概略図である。
【図２ｃ】図２ｃは、呼吸装置のディスプレイの一例の概略図である。
【図３】図３Ａ、Ｂ、Ｃは、タイムシーケンス中におけるディスプレイの異なるビューの一例の概略図である。
【図４】図４は、プレビューのフロントビューの一例の概略図である。
【図５】図５は、方法の一例のフローチャートである。
【図６】図６は、コンピュータによる処理のためのコンピュータプログラムを具体化したコンピュータ可読媒体の一例の概略図である。
【発明を実施するための形態】
【００２３】
本開示の特定の実施形態を、添付の図面を参照しながら記載する。しかしながら、この開示は多くの異なる形態で具体化されてもよく、ここで述べられる実施形態に限定されるように解釈されるべきものではない。逆に、これらの実施形態は、この開示は、完全且つ完璧であって本開示の範囲を当業者に十分に伝達するように提供される。添付図面に示される実施形態の詳細な説明で使用される用語には、本開示を限定する意図はない。図面において同様の数字は同様の要素を指す。
【００２４】
以下の記載は、異なる画面ビュー及び／又は画面レイアウトを表示できるディスプレイを設けられた、呼吸装置システム及び特に呼吸装置に適用可能な本開示の一例に焦点を合わせる。ディスプレイは、タッチスクリーンを介して呼吸装置へのユーザ入力を容易にするためのタッチスクリーンであってもよい。特定の画面ビューは、任意の呼吸モードに適用可能であってもよく、特定の呼吸モードと関連付けられてもよく、すなわち画面ビューは特定の呼吸モードチュに表示される情報を包含してもよい。そのような画面ビューは、あるレベルのデータと共にそれぞれ、異なる方法で提示されてもよい。画面ビューにデータを提示する多くの異なる方法があるので、臨床オペレータが特定のアプリケーション又はモードのための適切なレイアウトを素早く且つ／又は容易に見つけることができるように、システムが単純明快であることが重要である。呼吸装置は、集中治療ベンチレータ（人工呼吸器）、麻酔装置等であってもよい。以下ではインタフェースがまるでタッチスクリーンのみから成るかのように記載されているが、本開示はそのようなものに限定されるものではなく、代わりに、タッチ入力機能がなくユーザ入力のための他のユニット、例えば回転ノブを有するディスプレイのユーザインタフェースで、あるいは回転ノブ及びタッチスクリーンから成るユーザインタフェースで実施されることができる。
【００２５】
図面に戻り、図１を最初に参照すると呼吸装置システム１０が記載されている。
【００２６】
システム１０は呼吸装置１を含む。呼吸装置１はディスプレイ２、内部メモリ部３及び処理部５を有する。更なるディスプレイ（不図示）が、プレビューのためにディスプレイ２とは遠隔に構成（配置）されてもよい。遠隔ディスプレイは処理部５と通信する。遠隔ディスプレイは、その表示機能を処理するための別の専用処理部（不図示）を有してもよい。遠隔ディスプレイは、一例において呼吸装置１と通信する呼吸装置システムにおけるハンドヘルド装置に設けられてもよい。
【００２７】
内部メモリ３は、そこに格納されるデータ要素４を有してもよい。データ要素４は、背景カラーデータ、会計画像データ、音データ、マルチメディアデータ等であってもよい。
【００２８】
装置１は、圧力サポート、圧力制御又はボリューム制御等の複数の呼吸モード又は動作モードを有してもよい。全てのモードは画面ビューと関連付けられている。全ての画面ビューにおいて、動作パラメータの多く及び／又はディスプレイ上の動作パラメータの時間曲線の多くは同じである。しかしながら、１又は数個のモード特定メトリクス又はパラメータの提示時には、特定の画面ビューは別の画面ビューと異なっていてもよい。さらに、画面ビューは、ある患者カテゴリのための及び／又はある種類の製品のための追加情報を含んでもよい。さらに、画面ビューは、異なるニーズを持つユーザ又はオペレータのために調整されてもよい。
【００２９】
処理部５は、装置の複数の動作モード及び当該モードと関連付けられたビューを提供するように構成されてもよい。装置の特定の動作モード及び／又は当該モードと関連付けられたビューを選択するためのユーザ入力を受け付けてもよい。呼吸装置１はある時は単一の動作モードで動作される。
【００３０】
ディスプレイ２は全体表示領域を有する。処理部５は、ディスプレイ２上にメトリクス（尺度）及び／又は動作パラメータの時間曲線を表示するように構成される。処理部５は、第１の画面ビューに、呼吸装置の動作パラメータの第１の数のメトリクス及び／又は時間曲線を提供し、第２の画面ビューに、動作パラメータの第２の数のメトリクス及び／又は時間曲線を提供するように構成されてもよい。動作パラメータの第２の数のメトリクス及び／又は時間曲線は第１の数よりも少なくてもよい。第２の数はゼロであってもよい。
【００３１】
処理部５は、第１の動作モードにおいて実質的に全体表示領域に動作パラメータのメトリクス及び／又は時間曲線を表示するように構成されてもよい。この第１の画面ビューは、一例において呼吸セラピスト等の臨床のフルエキスパートのためのエキスパート画面ビューであってもよい。このモードは、多忙な臨床状況中又は動作モードの例えばセットアップ中に非常に有利である。第１の画面ビューは他の例では基礎ベンチレーション（呼吸）画面ビューであってもよい。
【００３２】
装置１は、少なくとも外部メモリ部６を装置１に接続するための通信インタフェース７も備えてもよい。
【００３３】
呼吸装置１０は、インタフェース７を介して呼吸装置に接続可能な外部メモリ部６を含んでもよい。外部メモリ部６は、そこに格納されるデータ要素８を有してもよい。データ要素８は、背景カラーデータ、背景画像データ、音データ、マルチメディアデータ等であってもよい。
【００３４】
処理部５は、ディスプレイ２、内部メモリ３、及び／又は、インタフェース７を介して装置１と接続される場合には外部メモリ部６と動作通信する。
【００３５】
図２ａ−２ｃに一例が示される。図２ａは、メインウィンドウ２４２を含む画面ビューを有する、ランニング（running）モードにおけるユーザインタフェースを示す。メインウィンドウ２４２は、現在の画面ビューのグラフ及びデータを示す。メインウィンドウ２４２はメニュー２４４を備える。メニュー２４４は、メインウィンドウ２４２の右側に位置してもよい。メニュー２４４はあるいはメインウィンドウ２４２の左側、底部又は上部に位置してもよい。
【００３６】
メニュー２４４は複数の選択領域を備える。セクション領域２４６、２４８は、第２の画面ビューを含む、選択可能な画面ビューの名称及び／又はアイコンと共にディスプレイ上に示されてもよい。あるいは、選択領域２４６の１つは“ビュー”等の名称で提供されてもよく、オペレータが選択領域２４６をタップするとビューウィンドウ２０２が開くだろう。ビューウィンドウ２０２は、選択可能な第２の画面ビューの名称及び／又はアイコンを伴う選択領域を備える。
【００３７】
メニュー２４４又はビューウィンドウ２０２上の、選択可能な第２の画面ビューのアイコンは、複数のマイクロプレビュー、すなわち小型プレビューであってもよい。従って、オペレータは、選択のために提供された複数のマイクロプレビューを見ることで、単一の適切な新規ビューを選択可能であってもよい。
【００３８】
一例は図２ｂにさらに示される。図２ｂは、リスト又はメニュー２０４を伴うビューウィンドウ２０２を示す。この図から、ビューウィンドウ２０２はメニュー２０４を備えることが分かる。あるいは、ビューウィンドウ２０２は選択領域のリスト及び／又は配列（アレイ）を備えてもよい。いくつかの例では、メインウィンドウ２４２のビュー選択領域をユーザが押下することの応答として、メニュー２０４、リスト又は配列がビューウィンドウ２０２に表示される。あるいは、ビューウィンドウ２０２は例えばスタートアップ時に表示される。メニュー２０４、リスト又は配列は、利用可能なビューの概観（オーバービュー）を、各選択可能なビューについてタップ又はタップアンドホールドするための選択領域又はボタンに付与する。
【００３９】
メニュー２０４は、ビューウィンドウ２０２の一部であってもよく、ビューウィンドウ２０２の右側に位置してもよい。メニュー２０４は、あるいはビューウィンドウ２０２の左側、底部又は上部に位置してもよい。
【００４０】
好適な例において、ディスプレイ２に表示された第１の画面ビュー２２２（図２ｃに図示）が、メインウィンドウ２４２である。メインウィンドウ２４２はメニュー２４４を備える。メニュー２４４は１以上の選択領域２４６、２４８を備える。オペレータが選択領域２４６をタップすると、ビューウィンドウ２０２が開く。図２ｂに見られるように、ビューウィンドウ２０２は、メニュー、リスト、配列又は項目（アイテム、item）のグループ又は選択領域２０６、２０８、２１０、２１２、２１４を備える。項目又は選択領域２０６、２０８、２１０、２１２、２１４の各々は、選択可能な第２の画面ビューと関連付けられており、第２の画面ビュー３０６（図３に図示）を選択するためにタップアンドホールド可能且つ／又はタップ可能である。処理部５は複数の選択可能な画面ビューを提供するように構成される。これらの選択可能な画面ビューは、複数のマイクロプレビューとしてディスプレイ２の少なくとも一部上に示されてもよい。さらに、処理部５は、画面ビューの選択に応じて、ディスプレイ２の少なくとも一部上に、選択された画面ビューのプレビュー２２４（図２ｃに図示）を提供するように構成される。従って、プレビュー２２４は、タップアクション又はタップアンドホールドアクションで第２の画面ビュー３０６を選択すると自動的に表示される。あるいは、処理部５は、例えばマイクロプレビューにより示された選択領域上でユーザがタップするときに、任意のプレビューを最初に示すことなく、直接、選択された画面ビューを提供するように構成される。
【００４１】
タップアンドホールドアクションが実行されると、プレビュー２２４は、タイル又はプレビュー２２４のフリップアクションを通じて表示されてもよい一方、フリップされるタイル又はプレビュー２２４の異なるフェーズが、フリップアクション中にアニメーションとしてディスプレイ２上に示される。表示されようとするプレビューがフリップアクションを通じて入力（エンター）されない標準（レギュラー）プレビューよりも多くの情報を含むであろうことを、このフリップアクションはユーザに示してもよい。
【００４２】
図２ｃは、呼吸装置システム１０のディスプレイを示す。図２ｃから、第１の画面ビュー２２２、及び第２の画面ビューのプレビュー２２４等のウィンドウが、呼吸装置システム１０のディスプレイ２上に表示されてもよいことが分かる。好適には、プレビュー２２４は、波形及び／又はループの名称に関する情報の無い単純化されたビューであってもよい。あるいは、プレビュー２２４は波形及び／又はループを伴うビューであってもよい。
【００４３】
処理部５は、ディスプレイ２の全体表示領域の表示サブ領域のみに第１の画面ビュー２２２を表示するように構成されてもよい。
【００４４】
さらに、処理部５は、ディスプレイ２の全体表示領域のサブ領域及び／又は第１の画面ビュー領域のサブ領域のみにプレビュー２２４を表示するように構成されてもよい。一例では、プレビュー２２４が表示されるサブ領域は少なくとも、ディスプレイ全体の２５％又は第１の画面ビュー２２２の全体領域であってもよい。
【００４５】
ディスプレイ２上の第１の画面ビュー２２２は、好適には、呼吸装置１のオペレータによって選択可能ではない。しかしながら、第２の画面ビュー３０６は、好適には、呼吸装置１のオペレータによって修正、選択可能である。
【００４６】
図３は、タイムシーケンス中の異なるビューを示す。図３に見られるように、時間例Ａにおいて、第１の画面ビュー２２２がディスプレイ２に表示される。第１の画面ビュー２２２が表示されている間、プレビュー２２４の表示と関連付けられた選択領域又はボタン上でタップ又はタップアンドホールド可能であり、それによって第２の画面ビューのプレビュー２２４は、時間例Ｂにおいて、すなわち時間例Ａの後に且つタップアクション又はタップアンドホールドアクションの応答として、第１の画面ビュー２２２の上部に表示されるだろう。タップアクション及びタップアンドホールドアクションは、例えばディスプレイがタッチスクリーンである時に特に有利である。タップアンドホールドアクションは、ユーザが画面をタップして２秒間等の所定時間その画面上に例えば指を保持し続けるアクションとして定義される。タップアクションは、ユーザが画面をタップしたが２秒間等の所定時間その画面上に例えば指を保持し続けない時に、実行されたものとされる。例えば安全性に重要な機能が起動又は修正される必要があるときに、タップアンドホールドアクションがタップアクションの代わりに使用されてもよい。例えばタッチスクリーンをタップアンドホールドするよりも例えばタッチスクリーンを誤ってタップしてしまうことの方がはるかに容易なので、これはシステムに改良された安全性を提供するかもしれない。
【００４７】
プレビュー２２４が表示されている間、第２の画面ビュー３０６は、以降説明する受付（受入）領域でタップすることによって受け付け（受け入れ）でき、その後第２の画面ビュー３０６は時間例Ｃにおいてディスプレイ２上に直接表示されるだろう。従って、図３に示されるように、プレビュー２２４を通じて１つのビューから別のビューへ直接移行することが可能である。
【００４８】
再度図２ｃを参照すると、プレビュー２２４は第１の画面ビュー２２２の上部に表示され、第１の画面ビュー２２２は好適には表示領域２０１の全体又はその一部に表示されることが分かる。従って、第１の画面ビュー２２２は、プレビュー２２４の表示中、背景すなわちプレビュー２２４によって覆われる領域外の領域に未だ表示されてもよい。第１の画面ビュー２２２は好適には全部又は全体表示領域２０１を覆う。
【００４９】
図４は、プレビュー２２４のフロントビューである。プレビュー２２４は、選択領域４０２、４０４、４０６と共に提供されてもよい。選択領域４０２、４０４、４０６は、異なる機能と関連付けられてもよい。一例として、選択領域４０２は第２の画面ビュー３０６を直接受け付けることと関連付けられてもよい。従って、選択領域４０２は受付領域である。ユーザが受付領域でタップ又はタップアンドホールドすると、プレビュー２２４と関連付けられた第２の画面ビュー３０６がディスプレイ２上に直接表示される。別の例として、選択領域４０４は第２の画面ビュー３０６のレイアウトを受け付けて調整することと関連付けられてもよい。従って、選択領域４０４は受付調整レイアウト領域である。ユーザが受付調整レイアウト領域でタップ又はタップアンドホールドすると、そうしたタップアクション又はタップアンドホールドアクションは第２の画面ビュー３０６の適用に至り且つ第２の画面ビュー３０６への画面レイアウトウィンドウ調整又は修正がなされる画面レイアウトウィンドウの次のオープン（開き）に至るので、プレビュー２２４と関連付けられた第２の画面ビュー３０６のレイアウトが直接修正又は調整できる。さらに別の例として、選択領域４０６は、第２の画面ビュー３０６の表示をキャンセル（取消）することと関連付けられてもよい。従って、ユーザがこの領域をタップ又は押下すると、プレビュー２２４がディスプレイ２から消え、再び第１の画面ビュー２２２がディスプレイ２上に表示されるだろう。それ故、選択領域４０６はキャンセル領域と呼ばれてもよい。
【００５０】
いくつかの例では、プレビュー２２４はタップアクションが実行されるとなら基礎データのみを含むが、プレビュー２２４はタップアンドホールドアクションが実行されるなら基礎データ及び追加データを含む。選択領域４０２、４０４、４０６と共に提供されるプレビュー２２４を有することに代えて、ビューウィンドウ２０２は、画面レイアウト設定のための選択領域を含んでもよい。ユーザがこの選択領域をタップすると、現在の画面ビューのレイアウトが調整可能である。
【００５１】
本開示の別の側面によると、図５に示されるように呼吸装置システム１０における方法５００が提供される。システム１０は、ディスプレイ２、メモリ部３及び処理部５を有する呼吸装置１を含む。方法５００は、呼吸装置１のディスプレイ２を内部で制御する方法である。方法は、複数の選択可能な画面ビューを提供する５０２ことを含む。さらに、方法は、画面ビューの選択に応じてディスプレイ２の少なくとも一部上に選択された画面ビューのプレビュー２２４を提供する５０４ことを含む。
【００５２】
方法は、プレビュー２２４から又はプレビュー２２４の表示中に、選択された第２の画面ビュー３０６をキャンセル５０６又は受け付ける（受け入れる）５０８ことを含む。プレビュー２２４は、第１の画面ビュー２２２からスイッチするためにユーザが第２の画面ビュー３０６を選択したことの応答として提供されてもよい。あるいは、プレビュー２２４は、セットアップ中すなわちセットアップビュー又は全くビュー無しからスイッチするために提供される。さらに、処理部５は、第２の画面ビュー３０６へのスイッチが実行される前に、全体表示領域２０１上で、第２の画面ビュー３０６のプレビュー２２４が提示されるように、ディスプレイ２を制御するよう好適には構成される。従って、ユーザは、表示される前に第２の画面ビュー３０６を調整又は修正することを選択してもよいし、あるいは修正無しで第２の画面ビュー３０６を直接表示することを選択してもよい。さらに、プレビュー２２４は、ユーザが第２の画面ビュー３０６を受け付ける（受け入れる）前に提供されてもよい。当該方法は、使用がより単純、容易でよりユーザフレンドリーなインタフェースが利用できることを提供するので、有利であるかもしれない。
【００５３】
当該方法の更なる有利な点は、１つのビューから別のビューへのより速いナビゲーションが提供されることかもしれない。
【００５４】
図６に示されるように、本開示の更なる側面によると、コンピュータによる処理のためのコンピュータプログラム６００を具体化したコンピュータ可読媒体が提供される。コンピュータプログラム６００は、複数の選択可能な画面ビューを提供するためのコードセグメント６０２を備える。さらに、コンピュータプログラム６００は、画面ビューの選択に応じて、ディスプレイ２の少なくとも一部上に、選択された画面ビューのプレビュー２２４を提供するためのコードセグメント６０４を備える。いくつかの例では、コンピュータプログラム６００はシステムとして実装される。その場合、コードセグメントに代えて、当該システムがモジュールを備える。
【００５５】
特定の例を参照しながら本開示が記載されてきた。しかしながら、上述したもの以外の他の例が本開示の範囲内で同様に可能である。上述したもの以外の異なる方法の工程又はその異なる順序が本開示の範囲内で同様に提供されてもよい。本開示の異なる特徴又は工程が、記載されたもの以外の他の組み合わせで組み合わされてもよい。本開示の範囲は添付の特許請求の範囲によってのみ限定される。
【図１】
0006356666.tif 000002
【図２ａ】
0006356666.tif 000003
【図２ｂ】
0006356666.tif 000004
【図２ｃ】
0006356666.tif 000005
【図３】
0006356666.tif 000006
【図４】
0006356666.tif 000007
【図５】
0006356666.tif 000008
【図６】
0006356666.tif 000009